【事件の表示】
　特願２０１１−１７８９８９「赤外線画像作成システムにおける不要信号の影響を低減させるための方法およびシステム」拒絶査定不服審判事件〔平成２３年１１月２４日出願公開、特開２０１１−２３８２９２〕について、次のとおり審決する。
【結　論】
　本件審判の請求は、成り立たない。
【理　由】
第１　手続の経緯
　本願は、平成１７年６月１６日（パリ条約による優先権主張２００４年６月１６日、米国）に出願した特願２００５−１７６６３３号の一部を平成２３年８月１８日に新たに特許出願としたものであって、平成２４年９月５日付けの拒絶理由通知に応答して平成２４年１２月７日付けで手続補正がなされたが、平成２５年５月１４日付けで拒絶査定がなされた。
　これに対し、平成２５年９月１７日に拒絶査定不服審判が請求されたものである。
　
第２　本願発明
　本願の請求項に係る発明は、平成２４年１２月７日付けの手続補正により補正された特許請求の範囲の請求項１ないし１２に記載された事項により特定されるものであり、その請求項１に係る発明（以下、「本願発明」という）は下記のとおりである。
　
　　　　　　　　　　　　　　記（本願発明）
　必要赤外線光源、および、不要赤外線光源と必要赤外光源の双方の放射を検出する画像キャプチャ装置を用いる画像システムにおける不要赤外線光源の影響を低下させる方法であって、
　（ａ）必要赤外線光源、画像キャプチャ装置、および、遮蔽装置を設置するステップであって、前記必要赤外線光源、画像キャプチャ装置、および、遮蔽装置は、ともに透光面の同じ第１面に設置され、前記必要赤外線光源は、前記透光面に直接必要赤外線光を放射するよう設置され、前記透光面は、更に、１つ又は複数の対象物を検出する第２面を有し、前記設置するステップは、前記画像キャプチャ装置および遮蔽装置の双方よりも前記透光面に近い位置に前記必要赤外線光源を設置するステップ、および、前記画像キャプチャ装置よりも前記透光面に近い位置に前記遮蔽装置を設置するステップを含み、前記遮蔽装置により、前記必要赤外線光源から直接発せられる赤外光線が前記画像キャプチャ装置に入ることを防ぐ、ステップと、
　（ｂ）第１の画像キャプチャ区間中で必要赤外線光源を活性化し、前記必要赤外線光源により前記透光面を少なくとも一部分介して赤外光を透過させるようにするステップと、
　（ｃ）前記画像キャプチャ装置を用いて第１の画像キャプチャ区間中で画像データの第１組を獲得するステップであって、前記画像データの第１組は、前記透光面上の１つ又は複数の対象物の画像データを含み、該画像データは、必要赤外線光源および不要赤外線光源の双方に対応し、前記不要赤外線光源は、前記透光面の第２面上の位置からの赤外光を発する、ステップと、
　（ｄ）第２の画像キャプチャ区間中で必要赤外線光源を非活性化するステップと、
　（ｅ）前記画像キャプチャ装置を用いて第２の画像キャプチャ区間中で画像データの第２組を獲得するステップであって、前記画像データの第２組は、前記不要赤外線光源のみに対応する、ステップと、
　（ｆ）画像データの第１組の第１値から、対応する画像データの第２組の第２値を、画素単位で減じることにより、前記第２面に位置する前記１つ又は複数画像データの合成組を生成するステップであって、結果として得られた画像データの合成組は、前記必要赤外線光源により生成された照明から生じた画像データのみを含み、それにより、前記不要赤外線光源の影響を軽減させる、ステップと
　を備えることを特徴とする方法。
　
第３　当審の判断
１．刊行物の記載
　原査定の拒絶の理由に引用された刊行物１である特開平１１−２２４１６０号公報には、図面と共に次に掲げる事項が記載されている。
　
（ア）「【０００１】
【発明の属する技術分野】本発明は、背面投写型表示装置などの画像表示用の透過型スクリーンに、デジタイザ機能つまり位置座標入力機能を与える為の、座標入力システム及びそれを備えた表示装置に関する。」
　
（イ）「【００３３】（第１実施形態）図１は、本発明に係わる座標入力システムの一実施形態を示す斜視図である。透過型スクリーン２上での座標入力機能に関して、光反射型指示具１、赤外光源３、ＣＣＤカメラ４、撮像情報処理回路５を有する。プロジェクター７は、例えば、液晶ライトバルブと投写光源と投写光学系を内蔵した液晶プロジェクターであり、透過型スクリーン２に画像光を結像させる手段である。
【００３４】赤外光源３は、透過型スクリーン２の背面全体に不可視光である赤外光を投写する赤外光投写手段であり、例えば赤外波長ＬＥＤを用いる。複数個の赤外波長ＬＥＤをアレイ状に並べたものを使用することで、より十分な赤外光出力を得ることができる。なお、不可視光である赤外光を投写することで、可視光である画像光の干渉をさけることができる。
【００３５】ＣＣＤカメラ４は、赤外光源３から放射された赤外光の光反射型指示具１による反射光を検出する為に、透過型スクリーン２の背面全体を撮像する撮像手段である。このＣＣＤカメラ４は、赤外光を検出するので赤外光に対して選択的な感度を持たせることが望ましく、例えば赤外通過フィルタを備えた２次元ＣＣＤが望ましい。
【００３６】光反射型指示具１は、取扱者８が透過型スクリーン２の前面、つまり画像光を投写している背面と対向する面から透過型スクリーン２を指し示す為の指示具であり、少なくともその先端に光反射材を有する。例えば、指示具先端に金属めっきを施した指示具や、指示具先端に鏡を有する指示具、または全体が光を反射する金属で作られている指示具である。
【００３７】図２は、本発明の座標入力システムの撮像情報処理回路の一例を示すブロック図であり、図３は図２のブロック図の動作を示すタイミングチャートである。これらも用いながら、図１の座標検出動作を以下に説明する。
【００３８】取扱者８が光反射型指示具１により透過型スクリーン２の任意の位置を指示した場合、赤外光源３から放射された赤外光は透過型スクリーン２を通過し、光反射型指示具１で反射する。ここで透過型スクリーン２は、画像光を結像させる為に光を拡散させる機能を有している。したがって、光反射型指示具１で反射して再び透過型スクリーンを通過して戻ってくる赤外反射光は拡散してほぼ無指向性となる為、スポット状の赤外光としてＣＣＤカメラ４において撮像ができる。
【００３９】ＣＣＤカメラ４の撮像情報である輝度信号１３を撮像情報処理回路５により処理して座標情報６を求める。なお図３では、光反射型指示具１により反射された赤外光は、ＣＣＤカメラの画素の水平（ライン）方向の複数画素分の幅を持ち、垂直方向には１画素分の幅を持つ画像として撮像された例を示しており、ＣＣＤの撮像情報である輝度信号１３は、スポット光の輝度成分１８を持つ。」
　
（ウ）「【００７１】(第６実施形態）図９は、本発明にかかる座標入力システムの一実施形態を示している。
【００７２】これは、図１の座標入力システムにおいて、ＣＣＤカメラ４に、赤外透過フィルタを設けると同時に、赤外光源を複数設け、かつ赤外光源の投写光軸が、透過型スクリーン２の面に対して直交しないものであり、説明しやすい様、スクリーン側面方向から見た平面図としている。
【００７３】図９において、透過型スクリーン２上での座標入力機能に関しては、光反射型指示具１、赤外光源３８Ａ及び赤外光源３８Ｂ、ＣＣＤカメラ４、撮像情報処理回路５を有し、座標情報６を得る。プロジェクター７は、例えば、液晶ライトバルブと投写光源と投写光学系を内蔵した液晶プロジェクターであり、透過型スクリーン２に画像光を結像させる手段である。
【００７４】赤外光源３８Ａ及び赤外光源３８Ｂは、透過型スクリーン２の背面全体に不可視光である赤外光を投写する赤外光投写手段であり、例えば赤外波長ＬＥＤを用いる。複数個の赤外波長ＬＥＤをアレイ状に並べたものを使用することで、より十分な赤外光出力を得ることができる。なお、不可視光である赤外光を投写することで、可視光である画像光の干渉をさける。
【００７５】ＣＣＤカメラ４は、赤外光源３から放射された赤外光の光反射指示具１による反射光を検出する為に、透過型スクリーン２の背面全体を撮像する撮像手段である。このＣＣＤカメラ４は、赤外光を検出するので赤外光に対して選択的な感度を持たせる為に、赤外透過フィルタ３９を備える。
【００７６】光反射型指示具１は、取扱者８が透過型スクリーン２の前面、つまり画像光を投写している背面と対向する面から透過型スクリーン２を指し示す為の指示具であり、少なくともその先端に光反射材を有する。例えば、指示具先端に金属めっきを施した指示具や、指示具先端に鏡を有する指示具、または全体が光を反射する金属で作られている指示具である。」
　
（エ）「【００８６】（第７実施形態）図１０は、本発明にかかるの座標入力システムの一実施形態を示すブロック図である。
【００８７】撮像手段として、ＣＣＤカメラ４を用いる。
【００８８】撮像情報処理回路４６は、ＣＣＤカメラ４の出力情報から座標情報６を生成する処理回路であり、Ａ／Ｄコンバーター４０、ＦＩＦＯ４１、減算器４２、絶対値回路４３、比較器４４、座標情報生成保持回路４５、フレームタイミング発生回路４９を含む。Ａ／Ｄコンバーター４０は、ＣＣＤ輝度信号５２をアナログ信号からデジタル信号へ変換する。ＦＩＦＯ４１は、ＣＣＤの１フレーム分の容量を持つ先読み先出しメモリで、デジタル信号である輝度信号５３を１フレーム分遅延するのに用いる。座標情報生成保持回路４５では座標情報の生成と保持を行う。また、フレームタイミング発生回路４９が出力するフレーム同期信号１５によってＣＣＤカメラ４のフレームタイミングと水平・垂直カウンタ信号１６の同期をとる。
【００８９】図１１は、図１０のブロック図の動作を示すタイミングチャートである。また、この時の動作を説明する為に、赤外光源点灯時のＣＣＤ撮像画像の一例を図１２に、赤外光源消灯時のＣＣＤ撮像画像の一例を図１３に示す。これらにより、本実施形態である図１０の動作説明を以下に行う。
【００９０】赤外光源点灯時のフレームの画像７５及び赤外光源消灯時のフレームの画像７６に現れている外乱光７１は、例えば投写型スクリーンに対する直射日光の差し込みであり、光反射型指示具によるスポット光７０を検出する上で外乱となる。ここで、外乱光７１は直射日光などほぼ静止状態であるので複数フレームにわたり出現するのに対し、スポット光７０は、赤外光源点灯時のフレームのみに現れ、赤外光源消灯時のフレームの画像７６には現れない。ＣＣＤカメラ４の出力である輝度信号５３にはこれらスポット光の輝度成分７２と外乱光の輝度成分７３が現れている。
【００９１】赤外光源状態５６を、連続するＣＣＤフレームごとに点灯、消灯を繰り返す様にするならば、連続するフレームの輝度信号５３の差分をとることで、連続するフレームに共に現れる外乱光の輝度成分７３を除去し、１フレームおきに現れるスポット光の輝度成分７２を抽出することができる。１フレーム遅延輝度信号５８と遅延の無い輝度信号５３とを減算器４４に入力し、差分輝度信号５４を得る。
【００９２】その差分輝度信号５４の絶対値を絶対値回路４３により求め、差分輝度信号５４の負の値の成分を正の値に変換する。そして絶対値回路出力信号５５を比較器４４により正の値のスレッショルド電圧６０で波形整形すると波形整形された比較器出力信号５９が得られる。そして、座標情報生成保持回路４５において、フレームタイミング発生回路４９が生成する水平・垂直カウンタ信号１６を比較器出力信号５９が変化するタイミングで参照することによって得た時間情報を座標情報６へ変換する。なお、反射型指示具による反射スポットは一定の大きさを持つために、スポット光の中心を検出するには、比較器出力信号５９の輝度成分の時間幅の中心を求める必要がある。そこで、座標情報生成保持回路４５において、フレーム先頭から比較器出力信号５９の立ち上がりまでの時間ＴＡ７７とフレーム先頭から比較器出力信号５９の立ち下りまでの時間ＴＢ７８の平均値を求めるなどして、光スポットの中心のタイミングＴ７９を得る。
【００９３】以上の様に、撮像情報処理回路４６において、赤外光源の点灯時と消灯時の輝度信号の差分をとることにより、位置検出とは全く関係のない外乱光の影響を除去することができる。」
　
２．引用発明
　ここで、上記刊行物１の記載について検討する。
　
（１）刊行物１の前掲（ア）、（ウ）及び図９の記載によると、刊行物１には、画像表示用の透過型スクリーンに位置座標入力機能を与える座標入力システムが記載されており、座標入力システムの一実施形態として開示される第６実施形態は、取扱者が透過型スクリーンの前面から透過型スクリーンを指し示す為の光反射型指示具、透過型スクリーンの背面全体に不可視光である赤外光を投写する赤外光源、赤外光源から放射された赤外光の光反射型指示具による反射光を検出する為に透過型スクリーンの背面全体を撮像するＣＣＤカメラ、撮像情報処理回路を備えている。
　第１実施形態及び第６実施形態は、どちらも座標入力システムの一実施形態を示すものであり、第６実施形態の撮像情報処理回路は、第１実施形態の撮像情報処理回路と同じ動作をする回路と認められるので、第６実施形態の撮像情報処理回路は、刊行物１の前掲（イ）の段落【００３９】の記載によれば、ＣＣＤカメラからの出力情報を処理して座標情報を生成する回路といえる。
　
（２）刊行物１の前掲（エ）及び図１０ないし図１３には、座標入力システムの一実施形態の第７実施形態として撮像情報処理回路が示されており、この第７実施形態の撮像情報処理回路は、第１実施形態及び第６実施形態が備える撮像情報処理回路の一例であると認められる。
　よって、刊行物１から第６実施形態に第７実施形態の撮像情報処理回路を備えた発明を認定することができる。
　そして、その撮像情報処理回路の動作は以下のようである。
（Ａ）赤外光源状態を連続するＣＣＤフレームごとに点灯、消灯を繰り返し、
（Ｂ）ＣＣＤカメラは、光反射指示具によるスポット光の輝度成分と直射日光などの外乱光の輝度成分が現れる輝度信号を出力し、赤外光源点灯時のフレームには外乱光とスポット光が現れ、赤外光源消灯時のフレームには外乱光が現れており、
（Ｃ）ＣＣＤカメラから出力される輝度信号の連続するフレームの輝度信号の差分を取ることで、連続するフレームに共に現れる外乱光の輝度成分を除去し、１フレームおきに現れるスポット光の輝度成分を抽出することにより、位置検出とは全く関係のない外乱光の影響を除去する。
　これらの座標入力システムが備える撮像情報処理回路の一連の動作は、外乱光の影響を除去するための方法といえるから、刊行物１には座標入力システムにおける外乱光の影響を除去する方法が記載されているといえる。
　
（３）まとめ
　上記（１），（２）によれば、刊行物１には下記の発明（以下、「引用発明」という）が記載されていると認められる。
　
　　　　　　　　　　　　　　記（引用発明）
　座標入力システムにおける外乱光の影響を除去する方法であって、
　座標入力システムには、取扱者が透過型スクリーンの前面から透過型スクリーンを指し示す為の光反射型指示具、透過型スクリーンの背面全体に不可視光である赤外光を投写する赤外光源、赤外光源から放射された赤外光の光反射型指示具による反射光を検出する為に透過型スクリーンの背面全体を撮像するＣＣＤカメラ、ＣＣＤカメラからの出力情報を処理して座標情報を生成する撮像情報処理回路を備えており、
　撮像情報処理回路により、
（Ａ）赤外光源状態を連続するＣＣＤフレームごとに点灯、消灯を繰り返し、
（Ｂ）ＣＣＤカメラは、光反射指示具によるスポット光の輝度成分と直射日光などの外乱光の輝度成分が現れる輝度信号を出力し、赤外光源点灯時のフレームには外乱光とスポット光が現れ、赤外光源消灯時のフレームには外乱光が現れており、
（Ｃ）ＣＣＤカメラから出力される輝度信号の連続するフレームの輝度信号の差分を取ることで、連続するフレームに共に現れる外乱光の輝度成分を除去し、１フレームおきに現れるスポット光の輝度成分を抽出する、
　ことを特徴とする方法。
　
３．対比
　本願発明と引用発明とを対比すると次のことが認められる。
　
（１）本願発明の「必要赤外線光源、および、不要赤外線光源と必要赤外光源の双方の放射を検出する画像キャプチャ装置を用いる画像システムにおける不要赤外線光源の影響を低下させる方法」について
　
　引用発明のＣＣＤカメラは光反射指示具が反射した赤外光源の反射光（スポット光）を検出し輝度信号として出力するものであるから、赤外光源は本願発明の「必要赤外線光源」に相当し、ＣＣＤカメラは「必要赤外線光源の放射を検出する」ものといえる。
　同様に、引用発明のＣＣＤカメラは直射日光などの外乱光の輝度成分が現れる輝度信号を出力するものであるから、この直射日光などの外乱光は本願発明の「不要赤外線光源」に相当し、ＣＣＤカメラは「不要赤外線光源の放射を検出する」ものといえる。
　また、引用発明のＣＣＤカメラは透過型スクリーンの背面全体を撮像し、赤外光を検出して輝度信号を出力するものであり、赤外光による画像を取得するものといえるから、本願発明の「画像キャプチャ装置」に相当する。
　よって、引用発明は「必要赤外線光源」を備えており、引用発明のＣＣＤカメラは本願発明の「不要赤外線光源と必要赤外線光源の双方の放射を検出する画像キャプチャ装置」に相当するものといえる。
　また、引用発明の座標入力システムは、赤外光源とＣＣＤカメラを用いて赤外光源の反射光（スポット光）と直射日光などの外乱光を検出するシステムであるから、本願発明の「画像システム」に相当し、さらに、引用発明の外乱光の影響を除去する方法は、本願発明の「不要赤外線光源の影響を低下させる方法」に相当する。
　したがって、引用発明は本願発明と「必要赤外線光源、および、不要赤外線光源と必要赤外光源の双方の放射を検出する画像キャプチャ装置を用いる画像システムにおける不要赤外線光源の影響を低下させる方法」である点で一致する。
　
（２）本願発明の「（ａ）必要赤外線光源、画像キャプチャ装置、および、遮蔽装置を設置するステップであって、前記必要赤外線光源、画像キャプチャ装置、および、遮蔽装置は、ともに透光面の同じ第１面に設置され、前記必要赤外線光源は、前記透光面に直接必要赤外線光を放射するよう設置され、前記透光面は、更に、１つ又は複数の対象物を検出する第２面を有し、前記設置するステップは、前記画像キャプチャ装置および遮蔽装置の双方よりも前記透光面に近い位置に前記必要赤外線光源を設置するステップ、および、前記画像キャプチャ装置よりも前記透光面に近い位置に前記遮蔽装置を設置するステップを含み、前記遮蔽装置により、前記必要赤外線光源から直接発せられる赤外光線が前記画像キャプチャ装置に入ることを防ぐ、ステップ」について
　
（２−１）本願発明の当該ステップは、方法発明の動作手順として記載されているものの、当該ステップに記載される各構成要素を設置するステップの順序に技術的意味があるとは認められず、各構成要素が当該ステップに記載される位置関係で結果として配置されていることを表しているに過ぎないものと認められる。
　
（２−２）引用発明の座標入力システムは、透過型スクリーンの背面全体に赤外光を投光する赤外光源とＣＣＤカメラが透過型スクリーンの背面に配置されているといえる。
　また、引用発明は、透過型スクリーンの前面から透過型スクリーンを指し示す光反射型指示具が配置されており、ＣＣＤカメラは赤外光源から放射された赤外光の光反射型指示具による反射光を検出する。
　
（２−３）引用発明は、透過型スクリーンの前面にある光反射型指示具が透過型スクリーンの背面にある赤外光源の赤外光を反射し、その反射光が同じく背面側にあるＣＣＤカメラで検出されるものであるから、引用発明の透過型スクリーンは本願発明の「透光面」であるといえる。また、引用発明の透過型スクリーンの背面を本願発明の「第１面」、前面を「第２面」ということができる。
　そして、上記（１）において検討したように、引用発明の赤外光源は本願発明の「必要赤外線光源」に相当し、ＣＣＤカメラは本願発明の「画像キャプチャ装置」に相当するから、引用発明は本願発明と「必要赤外線光源、画像キャプチャ装置を設置するステップであって、前記必要赤外線光源、画像キャプチャ装置は、ともに透光面の同じ第１面に設置され、前記必要赤外線光源は、前記透光面に直接必要赤外線光を放射するよう設置され」という構成を有している点で一致する。
　ただし、引用発明は本願発明の「遮蔽装置を設置するステップ」を備えておらず「前記必要赤外線光源、画像キャプチャ装置、および、遮蔽装置は、透光面の同じ第１面に設置され」るという特定がない点で相違する。
　また、引用発明の透過型スクリーンの前面にある光反射型指示具はＣＣＤカメラによる検出対象であるから本願発明の「対象物」であるといえ、引用発明は、本願発明と「更に、１つの対象物を検出する第２面を有」するという点で一致する。
　ただし、本願発明は「１つ又は複数の対象物を検出する第２面を有し」ているものであるのに対し、引用発明は複数の対象物を検出する第２面を有していることは特定されていない点で両者は相違する。
　さらに、引用発明は、赤外光源とＣＣＤカメラの位置関係が特定されておらず、本願発明の「遮蔽装置を設置するステップ」を備えていないことから、本願発明の「前記設置するステップは、前記画像キャプチャ装置および遮蔽装置の双方よりも前記透光面に近い位置に前記必要赤外線光源を設置するステップ、および、前記画像キャプチャ装置よりも前記透光面に近い位置に前記遮蔽装置を設置するステップを含み、前記遮蔽装置により、前記必要赤外線光源から直接発せられる赤外光線が前記画像キャプチャ装置に入ることを防ぐ、ステップ」という特定がない点で相違する。
　
（３）本願発明の「（ｂ）第１の画像キャプチャ区間中で必要赤外線光源を活性化し、前記必要赤外線光源により前記透光面を少なくとも一部分介して赤外光を透過させるようにするステップ」について
　
　引用発明は、赤外光源状態を連続するＣＣＤフレームごとに点灯、消灯を繰り返し、ＣＣＤカメラが、赤外光源点灯時に光反射指示具によるスポット光の輝度成分と直射日光などの外乱光の輝度成分が現れる輝度信号を出力するものであり、上記（１）において検討したように、引用発明の赤外光源は本願発明の「必要赤外線光源」に相当し、引用発明のＣＣＤカメラは本願発明の「画像キャプチャ装置」に相当するから、引用発明のＣＣＤフレームのうち赤外光源を点灯するＣＣＤフレームは、本願発明の「必要赤外線光源を活性化」する「第１の画像キャプチャ区間中」ということができる。
　また、引用発明は、透過型スクリーンの背面から赤外光源により放射された赤外光が透過型スクリーンの前面の光反射指示具により反射されるものであるから、赤外光源から放射される赤外光は透過型スクリーンを少なくとも一部分介して透過しているものといえ、この引用発明の動作は、本願発明の「前記必要赤外線光源により前記透光面を少なくとも一部分介して赤外光を透過させる」ことに相当する。
　よって、引用発明は、本願発明の「（ｂ）第１の画像キャプチャ区間中で必要赤外線光源を活性化し、前記必要赤外線光源により前記透光面を少なくとも一部分介して赤外光を透過させるようにするステップ」を備えているものといえる。
　
（４）「（ｃ）前記画像キャプチャ装置を用いて第１の画像キャプチャ区間中で画像データの第１組を獲得するステップであって、前記画像データの第１組は、前記透光面上の１つ又は複数の対象物の画像データを含み、該画像データは、必要赤外線光源および不要赤外線光源の双方に対応し、前記不要赤外線光源は、前記透光面の第２面上の位置からの赤外光を発する、ステップ」について
　
　引用発明は、ＣＣＤカメラが光反射指示具によるスポット光の輝度成分と直射日光などの外乱光の輝度成分が現れる輝度信号を出力し、赤外光源点灯時のフレームには外乱光とスポット光が現れるというものであり、ＣＣＤカメラは本願発明の「画像キャプチャ装置」に相当し、赤外光源点灯時のフレームは本願発明の「第１の画像キャプチャ区間中」に相当し、輝度信号は画像データといえることから、引用発明における、赤外光源点灯時のフレームにおいてＣＣＤカメラが輝度信号を出力することは、本願発明の「（ｃ）前記画像キャプチャ装置を用いて第１の画像キャプチャ区間中で画像データの第１組を獲得するステップ」に相当するものといえる。
　
　また、光反射指示具によるスポット光による輝度信号は、透過型スクリーンの前面から指し示す光反射指示具、すなわち、透過型スクリーンの前面上の光反射指示具による輝度信号であるといえ、上記（２）において検討したように、引用発明の光反射型指示具は本願発明の「対象物」に相当するものであるから、引用発明の赤外光源点灯時のフレームにおける輝度信号は、本願発明と「前記透光面上の１つの対象物の画像データを含」むものである点で一致する。
　ただし、本願発明は「前記透光面上の１つ又は複数の対象物の画像データを含」むものであるのに対し、引用発明は複数の対象物の画像データを含むことは特定されていない点で両者は相違する。
　
　さらに、引用発明において、スポット光は赤外光源から放射される赤外光の反射指示具による反射光であるから、赤外光源に起因する光であり、直射日光などの外乱光は、装置の外部、すなわち透過型スクリーンの前面側から入射するものといえ、上記（１）、（２）において検討したように、赤外光源は本願発明の「必要赤外線光源」に相当し、直射日光などの外乱光は本願発明の「不要赤外線光源」に相当し、透過型スクリーンの前面は本願発明の「第２面」に相当するから、引用発明は、本願発明と「該画像データは、必要赤外線光源および不要赤外線光源の双方に対応し、前記不要赤外線光源は、前記透光面の第２面上の位置からの赤外光を発する」ものである点で一致する。
　
（５）本願発明の「（ｄ）第２の画像キャプチャ区間中で必要赤外線光源を非活性化するステップ」について
　
　引用発明の連続するＣＣＤフレームの一方において赤外光源を消灯することは、上記（３）における検討を参酌すると、本願発明の「（ｄ）第２の画像キャプチャ区間中で必要赤外線光源を非活性化するステップ」に相当するといえる。
　
（６）「（ｅ）前記画像キャプチャ装置を用いて第２の画像キャプチャ区間中で画像データの第２組を獲得するステップであって、前記画像データの第２組は、前記不要赤外線光源のみに対応する、ステップ」について
　
　引用発明は、ＣＣＤカメラが光反射指示具によるスポット光の輝度成分と直射日光などの外乱光の輝度成分が現れる輝度信号を出力し、赤外光源消灯時のフレームには外乱光が現れるものであり、引用発明における、赤外光源消灯時のフレームにおいてＣＣＤカメラが外乱光の輝度信号を出力することは、上記（４）における検討を参酌すると、本願発明の「（ｅ）前記画像キャプチャ装置を用いて第２の画像キャプチャ区間中で画像データの第２組を獲得するステップであって、前記画像データの第２組は、前記不要赤外線光源のみに対応する、ステップ」に相当するものといえる。
　
（７）本願発明の「（ｆ）画像データの第１組の第１値から、対応する画像データの第２組の第２値を、画素単位で減じることにより、前記第２面に位置する前記１つ又は複数画像データの合成組を生成するステップであって、結果として得られた画像データの合成組は、前記必要赤外線光源により生成された照明から生じた画像データのみを含み、それにより、前記不要赤外線光源の影響を軽減させる、ステップ」について
　
　引用発明は、ＣＣＤカメラから出力される輝度信号の連続するフレームの輝度信号の差分を取ることで、連続するフレームに共に現れる外乱光の輝度成分を除去し、１フレームおきに現れるスポット光の輝度成分を抽出するものである。
　引用発明のスポット光の輝度成分は、透過型スクリーンの前面に位置する光反射指示具による輝度信号であるから、引用発明の連続するフレームの輝度信号の差分を取ることで、１フレームおきに現れるスポット光の輝度成分を抽出することは、上記（１）ないし（６）における検討を参酌すると、本願発明と「（ｆ）画像データの第１組の第１値から、対応する画像データの第２組の第２値を減じることにより、前記第２面に位置する前記１つの対象物の画像データの合成組を生成するステップ」である点で一致する。
　ただし、本願発明が「画像データの第１組の第１値から、対応する画像データの第２組の第２値を、画素単位で減じる」ものであるのに対し、引用発明は、ＣＣＤカメラから出力される輝度信号を画素単位で減じるという特定はされていない点、及び、本願発明は「前記第２面に位置する前記１つまたは複数画像データの合成組を生成する」ものであるのに対し、引用発明は複数の対象物の画像データを生成することは特定されていない点で両者は相違する。
　また、引用発明の連続するフレームの輝度信号の差分を取ることで、連続するフレームに共に現れる外乱光の輝度成分を除去することは、本願発明の「それにより、前記不要赤外線光源の影響を軽減させる」ことに相当する。
　
４．一致点・相違点
　以上の対比（１）ないし（５）の対比結果を踏まえると、本願発明と引用発明の一致点及び相違点は次の通りである。
　
［一致点］
　必要赤外線光源、および、不要赤外線光源と必要赤外光源の双方の放射を検出する画像キャプチャ装置を用いる画像システムにおける不要赤外線光源の影響を低下させる方法であって、
　（ａ）必要赤外線光源、画像キャプチャ装置を設置するステップであって、前記必要赤外線光源、画像キャプチャ装置は、ともに透光面の同じ第１面に設置され、前記必要赤外線光源は、前記透光面に直接必要赤外線光を放射するよう設置され、前記透光面は、更に、１つの対象物を検出する第２面を有する、ステップと、
　（ｂ）第１の画像キャプチャ区間中で必要赤外線光源を活性化し、前記必要赤外線光源により前記透光面を少なくとも一部分介して赤外光を透過させるようにするステップと、
　（ｃ）前記画像キャプチャ装置を用いて第１の画像キャプチャ区間中で画像データの第１組を獲得するステップであって、前記画像データの第１組は、前記透光面上の１つの対象物の画像データを含み、該画像データは、必要赤外線光源および不要赤外線光源の双方に対応し、前記不要赤外線光源は、前記透光面の第２面上の位置からの赤外光を発する、ステップと、
　（ｄ）第２の画像キャプチャ区間中で必要赤外線光源を非活性化するステップと、
　（ｅ）前記画像キャプチャ装置を用いて第２の画像キャプチャ区間中で画像データの第２組を獲得するステップであって、前記画像データの第２組は、前記不要赤外線光源のみに対応する、ステップと、
　（ｆ）画像データの第１組の第１値から、対応する画像データの第２組の第２値を減じることにより、前記第２面に位置する前記１つの対象物の画像データの合成組を生成するステップであって、結果として得られた画像データの合成組は、前記必要赤外線光源により生成された照明から生じた画像データのみを含み、それにより、前記不要赤外線光源の影響を軽減させる、ステップと
　を備えることを特徴とする方法。
　
［相違点１］
　引用発明は、本願発明の「遮蔽装置を設置するステップ」を備えておらず「前記必要赤外線光源、画像キャプチャ装置、および、遮蔽装置は、透光面の同じ第１面に設置され」るという特定がない点、及び、本願発明の「前記設置するステップは、前記画像キャプチャ装置および遮蔽装置の双方よりも前記透光面に近い位置に前記必要赤外線光源を設置するステップ、および、前記画像キャプチャ装置よりも前記透光面に近い位置に前記遮蔽装置を設置するステップを含み、前記遮蔽装置により、前記必要赤外線光源から直接発せられる赤外光線が前記画像キャプチャ装置に入ることを防ぐ、ステップ」という特定がない点。
　
［相違点２］
　本願発明は「１つ又は複数の対象物を検出する第２面を有し」、「前記透光面上の１つ又は複数の対象物の画像データを含」み、「前記第２面に位置する前記１つまたは複数画像データの合成組を生成する」ものであるのに対し、引用発明は複数の対象物を検出する第２面を有していること、複数の対象物の画像データを含むこと、複数の対象物の画像データを生成することは特定されていない点。
　
［相違点３］
　本願発明が「画像データの第１組の第１値から、対応する画像データの第２組の第２値を、画素単位で減じる」ものであるのに対し、引用発明は、ＣＣＤカメラから出力される輝度信号を画素単位で減じるという特定はされていない点。
　
５．相違点の判断
（１）相違点１について
　撮影対象物に光源を用いて光を照射し、反射光を取得して対象物を撮影する装置において、光源を撮影カメラより対象物の近い位置に設置することは一般的に行われている技術と認められ、その際に、光源からの放射光が直接撮影カメラに入射しないための遮光体を設けることは周知の技術である（例えば、原査定において提示された特開平５−２４９０４３号公報の段落【００１６】，【００３３】，【図２】，【図１５】、特開２００４−１３４８６１号公報の段落【００１５】，【図２】、及び、当審において提示する特開平３−８８４８０号公報、特開２００４−１１０７６０号公報の４頁右欄３７行〜５頁左欄１１行，【図４】，【図９】等）。
　引用発明は、赤外光源とＣＣＤカメラの配置関係が特定されていないものであるが、引用発明において、赤外光源とＣＣＤカメラをどのように配置するかは、光源の照射面である透過型スクリーンの大きさや光源の明るさ、他の構成要素との関係などから、当業者が最適な配置関係を設計すれば良いものであり、当業者の設計的事項であって、上記周知技術に示されるように赤外光源をＣＣＤカメラより透過型スクリーンに近い位置に設置することに困難性は認められず、当業者が容易になし得ることである。そして、そのような配置のときには赤外光源からの赤外光が直接ＣＣＤカメラに入射しないための遮光板を設けることとなる。
　なお、刊行物１の図９を参照すると、赤外光源３８は、照射光がＣＣＤカメラ４やプロジェクター７に遮られないよう、ＣＣＤカメラ４より透過型スクリーン２に近い位置に配置されているように読み取ることができ、刊行物１においてもそのような配置を取り得ることも想定しているものと認められる。
　よって、引用発明において、「遮蔽装置を設置するステップ」を付加し、「前記必要赤外線光源、画像キャプチャ装置、および、遮蔽装置は、透光面の同じ第１面に設置され」るようにし、「前記設置するステップは、前記画像キャプチャ装置および遮蔽装置の双方よりも前記透光面に近い位置に前記必要赤外線光源を設置するステップ、および、前記画像キャプチャ装置よりも前記透光面に近い位置に前記遮蔽装置を設置するステップを含み、前記遮蔽装置により、前記必要赤外線光源から直接発せられる赤外光線が前記画像キャプチャ装置に入ることを防ぐ、ステップ」とすることは、当業者が容易に想到し得ることである。
　
（２）相違点２について
　スクリーンの前面の対象物を撮影する装置において、複数の対象物を検出することは周知の技術であり（例えば、特開平１１−２４８３９号公報の段落【００３３】，【００４９】，【図８】〜【図１０】、特表２０００−５０６６４３号公報の９頁６〜１８行，１１頁２３〜２６行等）、引用発明において、複数の対象物を透光面の第２面で検出するものとすることは当業者が容易に想到し得ることであり、その結果、複数の対象物の画像データを獲得して、画像データの第１組の第１値から対応する画像データの第２組の第２値を減じることによって複数の対象物の画像データを生成することは、当業者が容易になし得ることである。
　
（３）相違点３について
　引用発明は、ＣＣＤカメラから出力される輝度信号の連続するフレームの輝度信号の差分を取るものである。
　ＣＣＤなどのイメージセンサは、撮像面に受光素子が２次元配列されて画素を構成し、その受光素子の電荷を順次読み出し各画素信号の集合として１フレーム分の画像信号を出力するものである。
　そして、引用発明の連続するフレームの輝度信号は、同じＣＣＤカメラから出力される信号であって、同じ構造を有する画素信号の集合であるから、連続するフレームの輝度信号の差分を取る際に、連続するフレームの輝度信号の対応する画素信号同士の差分を取るものとすることは、当業者が普通に採用し得る技術的事項である。
　よって、引用発明において、ＣＣＤカメラから出力される輝度信号を画素単位で差分を取る構成を採用し、本願発明のように「画像データの第１組の第１値から、対応する画像データの第２組の第２値を、画素単位で減じる」ものとすることは、当業者が容易になし得ることである。
　
６．効果等について
　本願発明の構成は、上記のように当業者が容易に想到できたものであるところ、本願発明が奏する効果は、その容易想到である構成から当業者が容易に予測しうる範囲内のものであり、同範囲を超える格別顕著なものがあるとは認められない。
　
７．まとめ
　以上のとおりであるから、本願の請求項１に係る発明は、刊行物１に記載された発明及び周知技術に基づいて、当業者が容易に発明をすることができたものである。
　
第４　むすび
　以上のように、本願の請求項１に係る発明は、刊行物１に記載された発明び周知技術に基づいて当業者が容易に発明をすることができたものであるから、特許法第２９条第２項の規定により特許を受けることができない。
　したがって、本願は、その余の請求項について論及するまでもなく、拒絶をすべきものである。
　よって、結論のとおり審決する。